(57)【要約】【課題】コネクタを嵌合方向に小型化するとともに、このコネクタを取り付ける装置の嵌合方向における小型化に寄与する。【解決手段】コネクタ１００は、ソケットコネクタ１０と、ベースコネクタ３０とを有する。ベースコネクタ３０は、第１ベースハウジング３１と、第２ベースハウジング３２と、第１取付部３３と、第２取付部３４と、組み付け部３５とを有する。第１取付部３３は、上面３０１ａに対して、第１ベースハウジング３１を前後及び左右方向に移動可能に取り付ける。第２取付部３４は、前面３０３ａに対して、第２ベースハウジング３２を左右方向に移動可能に取り付ける。組み付け部３５は、第１ベースハウジング３１と第２ベースハウジング３２とを前後及び左右方向に沿って移動可能に組み付ける。【選択図】図２
2015220213.tif 000002
【特許請求の範囲】
【請求項１】
第１方向に向かって開口する凹部を有する絶縁性の第１ベースハウジングと、前記第１方向に面する第１取付面に前記第１ベースハウジングを取り付けるための第１取付部と、絶縁性の第２ベースハウジングと、前記第１取付面に対して垂直な第２取付面に前記第２ベースハウジングを取り付けるための第２取付部と、前記第１ベースハウジングと前記第２ベースハウジングとを前記第２取付面に対して垂直な第２方向に沿って移動可能に組み付ける組み付け部と、前記第２方向に沿って前記凹部内に突出する接触部及び前記第２方向に沿って引き出されるケーブルと接続される接続部を有し前記第２ベースハウジングに収容された導電性のベースコンタクトとを有するベースコネクタと、
前記第１ベースハウジングと嵌合可能な絶縁性のソケットハウジングと、当該ソケットハウジングと前記第１ベースハウジングとの嵌合時に前記接触部と接触するように前記ソケットハウジングに収容された導電性のソケットコンタクトとを有するソケットコネクタとを備えており、
前記第１取付部は、前記第１ベースハウジングを前記第１取付面に対して、少なくとも前記第２方向と前記第１及び第２方向に対して直交する第３方向とに移動可能に構成され、
前記第２取付部及び前記組み付け部の少なくともいずれかは、前記第２ベースハウジングをそれぞれ前記第２取付面及び前記第１ベースハウジングに対して、前記第３方向に移動可能に構成されていることを特徴とするコネクタ。
【請求項２】
前記組み付け部は、前記第１ベースハウジング及び前記第２ベースハウジングのうち、一方のベースハウジングの他方のベースハウジングと対向する端面から前記第２方向に沿って突出するガイド板と、前記他方のベースハウジングに形成され、両ベースハウジングが組み付けられる際に前記ガイド板が挿通される穴部とで構成されており、
前記第３方向に関して、前記ガイド板と前記穴部の内周壁面との間には隙間が存在することを特徴とする請求項１に記載のコネクタ。
【請求項３】
前記第２ベースハウジングは、前記第１ベースハウジングと対向する端面から前記第２方向に沿って突出し前記ベースコンタクトを支持する支持部を有し、
前記第１ベースハウジングは、前記凹部と連通するとともに、前記第１及び第２ベースハウジングが組み付けられる際に前記支持部が挿通される孔部を有し、
前記支持部の周囲には、前記支持部と前記孔部の内周壁面との間の隙間を埋める第１弾性シール部材が設けられていることを特徴とする請求項１又は２に記載のコネクタ。
【請求項４】
前記第２取付部は、前記第２ベースハウジングを前記第２取付面に対して、少なくとも前記第３方向に移動可能に構成されていることを特徴とする請求項１〜３のいずれか１項に記載のコネクタ。
【請求項５】
前記第２ベースハウジングの前記第２取付面と対向する端面には、当該端面と前記第２取付面との間の隙間を埋める環状の第２弾性シール部材が設けられており、
前記第２弾性シール部材は、前記ベースコンタクトの前記接続部を内包可能に配置されていることを特徴とする請求項４に記載のコネクタ。
【請求項６】
前記ソケットコンタクトは、前記ソケットハウジングと前記第１ベースハウジングとの嵌合時に、前記接触部を前記第３方向から挟んで接触する接触部を有することを特徴とする請求項１〜５のいずれか１項に記載のコネクタ。
【請求項７】
前記ソケットハウジングは、前記ソケットハウジングと前記第１ベースハウジングとの嵌合時に、当該ソケットハウジングと前記凹部の内周壁面との間の隙間を埋める環状の第３弾性シール部材が設けられていることを特徴とする請求項１〜６のいずれか１項に記載のコネクタ。
【発明の詳細な説明】
【技術分野】
【０００１】
本発明は、ベースコネクタと当該ベースコネクタに嵌合可能なソケットコネクタとを有するコネクタに関する。
【背景技術】
【０００２】
特許文献１には、基板に固定された相手側コネクタに嵌合可能なコネクタであって、別の基板に固定する固定側ハウジングと、固定側ハウジングにＸ方向へスライド可能に組み付けられた可動側ハウジングと、固定側ハウジングに固定された複数の固定側コンタクトと、可動側ハウジングに収容され固定側コンタクトとそれぞれ接触可能な複数の可動側コンタクトとを有するコネクタについて記載されている。このコネクタと相手側コネクタとの嵌合状態において、可動側ハウジングと相手側コネクタの相手側ハウジングとのＹ方向（Ｘ方向と直交する方向）に関する間には隙間が存在する。このため、コネクタを相手側コネクタと嵌合させる際に、コネクタが相手側コネクタとＸ及びＹ方向に若干ずれていても、Ｘ方向のズレは可動側ハウジングが固定側ハウジングに対してＸ方向にスライドすることで吸収され、Ｙ方向のズレは上述の隙間によって吸収される。これにより、コネクタと相手側コネクタとを嵌合させることが可能となる。
【先行技術文献】
【特許文献】
【０００３】
【特許文献１】特開２０１２−１９５２９９号公報
【発明の概要】
【発明が解決しようとする課題】
【０００４】
上記特許文献１に記載のコネクタは、可動側ハウジングが固定側ハウジングに対してＸ方向にスライド可能に構成され、可動側コンタクトが相手側コンタクトとの間のＸ方向のズレを吸収するように連結部を中心にして回動可能に構成されている。しかしながら、固定側ハウジング及び可動側ハウジングは、コネクタと相手側コネクタとの嵌合方向に沿って配置されており、嵌合方向におけるコネクタのサイズが大きくなる。
【０００５】
また、上記特許文献１に記載のコネクタの固定側コンタクトにケーブルを接続する構成とする際は、通常、固定側コンタクトの延在方向（すなわち、嵌合方向）に沿ってケーブルが引き出される。コネクタを装置に取り付ける際、当該コネクタからケーブルを引き出すための空間がその引き出し方向に必要となる。このため、嵌合方向とケーブルの引き出し方向とが同じであると、当該コネクタのサイズに加えて、ケーブルを引き出すための空間の確保により、コネクタを有する装置自体が、嵌合方向に沿って大型化する。
【０００６】
そこで、本発明の目的は、コネクタを嵌合方向に小型化するとともに、このコネクタを取り付ける装置の嵌合方向における小型化に寄与することが可能なコネクタを提供することである。
【課題を解決するための手段】
【０００７】
本発明のコネクタは、第１方向に向かって開口する凹部を有する絶縁性の第１ベースハウジングと、前記第１方向に面する第１取付面に前記第１ベースハウジングを取り付けるための第１取付部と、絶縁性の第２ベースハウジングと、前記第１取付面に対して垂直な第２取付面に前記第２ベースハウジングを取り付けるための第２取付部と、前記第１ベースハウジングと前記第２ベースハウジングとを前記第２取付面に対して垂直な第２方向に沿って移動可能に組み付ける組み付け部と、前記第２方向に沿って前記凹部内に突出する接触部及び前記第２方向に沿って引き出されるケーブルと接続される接続部を有し前記第２ベースハウジングに収容された導電性のベースコンタクトとを有するベースコネクタと、前記第１ベースハウジングと嵌合可能な絶縁性のソケットハウジングと、当該ソケットハウジングと前記第１ベースハウジングとの嵌合時に前記接触部と接触するように前記ソケットハウジングに収容された導電性のソケットコンタクトとを有するソケットコネクタとを備えている。そして、前記第１取付部は、前記第１ベースハウジングを前記第１取付面に対して、少なくとも前記第２方向と前記第１及び第２方向に対して直交する第３方向とに移動可能に構成され、前記第２取付部及び前記組み付け部の少なくともいずれかは、前記第２ベースハウジングをそれぞれ前記第２取付面及び前記第１ベースハウジングに対して、前記第３方向に移動可能に構成されている。
【０００８】
これによると、ベースコネクタが、ソケットハウジングと嵌合可能な第１ベースハウジングと、当該嵌合方向（第１方向）と直交する第２方向に沿ってケーブルを引き出すことが可能に構成された第２ベースハウジングとに分けて構成されているため、ベースコネクタを嵌合方向に小型化することが可能になるとともに、ベースコネクタを取り付ける装置の嵌合方向における小型化に寄与することが可能となる。加えて、第１取付部と、第２取付部及び組み付け部の少なくともいずれかとによって、第１ベースハウジングが第２及び第３方向に移動可能に構成されるため、ベースコネクタとソケットコネクタとを嵌合させる際に、ソケットハウジングが第１ベースハウジングに嵌合しやすくなる。このように、ベースコネクタとソケットコネクタとの良好な嵌合を実現しつつコネクタを嵌合方向に小型化するとともに、このコネクタを取り付ける装置の嵌合方向における小型化に寄与することが可能となる。
【０００９】
本発明において、前記組み付け部は、前記第１ベースハウジング及び前記第２ベースハウジングのうち、一方のベースハウジングの他方のベースハウジングと対向する端面から前記第２方向に沿って突出するガイド板と、前記他方のベースハウジングに形成され、両ベースハウジングが組み付けられる際に前記ガイド板が挿通される穴部とで構成されており、前記第３方向に関して、前記ガイド板と前記穴部の内周壁面との間には隙間が存在することが好ましい。これにより、ガイド板と穴部によって、第１ベースハウジングが第２ベースハウジングに対して第２及び第３方向に移動可能となる構成を簡単に実現できる。さらに、第１ベースハウジングが第２ベースハウジングに対して第２及び第３方向に移動可能となるため、第１ベースハウジングが第２ベースハウジングに対して傾きやすくなる。このため、ソケットハウジングが第１ベースハウジングにより嵌合しやすくなる。
【００１０】
また、本発明において、前記第２ベースハウジングは、前記第１ベースハウジングと対向する端面から前記第２方向に沿って突出し前記ベースコンタクトを支持する支持部を有し、前記第１ベースハウジングは、前記凹部と連通するとともに、前記第１及び第２ベースハウジングが組み付けられる際に前記支持部が挿通される孔部を有し、前記支持部の周囲には、前記支持部と前記孔部の内周壁面との間の隙間を埋める第１弾性シール部材が設けられていることが好ましい。これにより、液体などの異物が第２ベースハウジングの支持部と第１ベースハウジングの孔部の内周壁面との間から凹部内に浸入するのを抑制することが可能となる。
【００１１】
また、本発明において、前記第２取付部は、前記第２ベースハウジングを前記第２取付面に対して、少なくとも前記第３方向に移動可能に構成されていることが好ましい。これにより、第１ベースハウジングが第３方向に移動可能となる構成を簡単に実現できる。また、第２ベースハウジングとともにベースコンタクトも第３方向に移動可能となり、ベースコンタクトとソケットコンタクトとをスムーズに電気的に接続することが可能となる。
【００１２】
また、本発明において、前記第２ベースハウジングの前記第２取付面と対向する端面には、当該端面と前記第２取付面との間の隙間を埋める環状の第２弾性シール部材が設けられており、前記第２弾性シール部材は、前記ベースコンタクトの前記接続部を内包可能に配置されていることが好ましい。これにより、液体などの異物が第２取付面と第２ベースハウジングの端面との間から浸入してベースコンタクトの接続部に付着するのを抑制することが可能となる。
【００１３】
また、本発明において、前記ソケットコンタクトは、前記ソケットハウジングと前記第１ベースハウジングとの嵌合時に、前記接触部を前記第３方向から挟んで接触する接触部を有することが好ましい。これにより、ベースコンタクトの接触部とソケットコンタクトの接触部とが、ソケットハウジングと第１ベースハウジングとの嵌合時に、第２方向にずれても、緩衝せずに良好に接触する。
【００１４】
また、本発明において、前記ソケットハウジングは、前記ソケットハウジングと前記第１ベースハウジングとの嵌合時に、当該ソケットハウジングと前記凹部の内周壁面との間の隙間を埋める環状の第３弾性シール部材が設けられていることが好ましい。これにより、ソケットハウジングと第１ベースハウジングとの嵌合状態において、液体などの異物がソケットハウジングと凹部の内周壁面との間から浸入して接触部に付着するのを抑制することが可能となる。
【発明の効果】
【００１５】
本発明のコネクタによると、ベースコネクタが、ソケットハウジングと嵌合可能な第１ベースハウジングと、当該嵌合方向（第１方向）と直交する第２方向に沿ってケーブルを引き出すことが可能に構成された第２ベースハウジングとに分けて構成されているため、ベースコネクタを嵌合方向に小型化することが可能になるとともに、ベースコネクタを取り付ける装置の嵌合方向における小型化に寄与することが可能となる。加えて、第１取付部と、第２取付部及び組み付け部の少なくともいずれかとによって、第１ベースハウジングが第２及び第３方向に移動可能に構成されるため、ベースコネクタとソケットコネクタとを嵌合させる際に、ソケットハウジングが第１ベースハウジングに嵌合しやすくなる。このように、ベースコネクタとソケットコネクタとの良好な嵌合を実現しつつコネクタを嵌合方向に小型化するとともに、このコネクタを取り付ける装置の嵌合方向における小型化に寄与することが可能となる。
【図面の簡単な説明】
【００１６】
【図１】本発明の一実施形態に係るコネクタが取り付けられたバッテリユニット及び装着部の斜視図である。
【図２】図１に示すコネクタの斜視図である。
【図３】図２に示すソケットコネクタを示しており、（ａ）はソケットコネクタを前方から見たときの正面図であり、（ｂ）は図３（ａ）に示すIIIｂ−IIIｂ線に沿う断面図である。
【図４】ソケットコネクタに挿入されたソケットコンタクトを示しており、（ａ）は電力用のソケットコンタクトの斜視図であり、（ｂ）は信号用のソケットコンタクトの斜視図である。
【図５】ベースコネクタを斜め前方から見たときの斜視図である。
【図６】ベースコネクタを斜め後方から見たときの斜視図である。
【図７】図２に示すベースコネクタの縦断面図である。
【図８】図２に示すベースコネクタの横断面図である。
【図９】図２に示すベースコネクタを左方から見たときの側面図であり、（ａ）は第１ベースハウジングが第１位置にあるときの状況を示し、（ｂ）は第１ベースハウジングが第２位置にあるときの状況を示す。
【図１０】ベースコネクタに挿入されたベースコンタクトを示しており、（ａ）は電力用のベースコンタクトの斜視図であり、（ｂ）は信号用のベースコンタクトの斜視図である。
【発明を実施するための形態】
【００１７】
以下、本発明の好適な実施の形態について、図面を参照しつつ説明する。
【００１８】
図１に示すように、本実施形態に係るコネクタ１００は、バッテリユニット２００に取り付けられたソケットコネクタ１０と、当該バッテリユニット２００が装着される給電装置の装着部３００に取り付けられたベースコネクタ３０とで構成されている。
【００１９】
ここで、本実施形態における方向の定義について説明する。図１に示すように、装着部３００の支持板３０１の上面３０１ａ（第１取付面）に対して垂直な方向（第１方向）、つまり支持板３０１からコネクタ１に向かう方向及びその反対方向をそれぞれ上方及び下方とし、装着部３００の取付板３０３の前面３０３ａ（第２取付面）に対して垂直な方向（第２方向）、つまりベースコネクタ３０から電力ケーブル４４を引き出す方向及びその反対方向をそれぞれ後方及び前方とし、上下方向及び前後方向と直交する方向（第３方向）、つまり右方及び左方が定義される。
【００２０】
バッテリユニット２００は、図１に示すように、略直方体形状を有し、内部には、例えば、リチウムイオン蓄電池を有する。なお、蓄電池としては、リチウムイオン蓄電池に代えて、例えば、鉛蓄電池、ニッカド蓄電池、ニッケル水素蓄電池などを有していてもよい。バッテリユニット２００の後壁２０２には、ユーザが当該バッテリユニット２００を把持するための取手２０１が設けられている。後壁２０２の下端であって幅方向中央には、切り欠き部２０３が形成されている。ソケットコネクタ１０は、切り欠き部２０３内において、下方に向かって突出するように配置されている。
【００２１】
本実施形態における装着部３００は、例えば、電動バイクなどの給電装置に設けられており、支持板３０１と、側壁３０２と、取付板３０３とを有する。支持板３０１は、矩形平面形状を有する。側壁３０２は、支持板３０１の前方端部において、コの字状に立設されており、側壁３０２によって囲まれた領域にバッテリユニット２００の取手２０１とは反対側端部が載置される。支持板３０１の後方端部には、左右方向に離隔して配置された一対の固定部３０４が形成されている。取付板３０３は、その左右方向の両端が一対の固定部３０４に固定された状態で、支持板３０１に対して垂直に立設されている。取付板３０３には、前後方向に貫通し左右方向に長尺な長孔３０５と、前後方向に貫通する一対の孔３０６とが形成されている。一対の孔３０６は、左右方向に関して、長孔３０５を挟む位置に配置されている。ベースコネクタ３０は、支持板３０１の上面３０１ａ上であって、取付板３０３の前面３０３ａに取り付けられている。
【００２２】
バッテリユニット２００を装着部３００に装着する際は、先ずは、ユーザが取手２０１を介してバッテリユニット２００を把持し、バッテリユニット２００の取手２０１とは反対側端部を側壁３０２によって囲まれた領域に配置する。そして、図１において、ユーザが取手２０１を下げることで、バッテリユニット２００の前方下部（すなわち、バッテリユニット２００と支持板３０１との接触点）を支点として、バッテリユニット２００を下方に回動させる。このとき、ソケットコネクタ１０及びベースコネクタ３０は、バッテリユニット２００及び装着部３００のそれぞれにおいて、上下方向に沿って互いに対向する位置に配置されている。このため、ソケットコネクタ１０がベースコネクタ３０に嵌合し、ソケットコネクタ１０内に設けられたソケットコンタクト２１，２５（図３及び図４参照）と、ベースコネクタ３０内に設けられたベースコンタクト４１，４５（図５及び図１０参照）とが接触し、両コネクタ１０，３０が電気的に接続される。こうして、給電装置から電動バイクの動力部へと電流を供給することが可能な状態となる。
【００２３】
次に、ソケットコネクタ１０について、図２〜図４を参照して説明する。ソケットコネクタ１０は、ソケットハウジング１１と、電流供給用の一対のソケットコンタクト２１と、信号用の３つのソケットコンタクト２５とを有する。ソケットハウジング１１は、絶縁性の樹脂からなり、内部に一対のソケットコンタクト２１と３つのソケットコンタクト２５とを収容する。
【００２４】
ソケットハウジング１１は、図２及び図３に示すように、ベース部１２と、ベース部１２から下方に突出する嵌合部１３と、ベース部１２から上方に突出する突出部１４とを有する。これらベース部１２、嵌合部１３及び突出部１４は、互いにサイズは異なるもののいずれも略直方体形状に形成されている。また、ソケットハウジング１１は、上方に向かって開口する２つの凹部１５と、２つの凹部１５間に配置され上方に向かって開口する３つの凹部１６とを有する。これら凹部１５，１６は、左右方向に並んで配置されている。凹部１５の開口１５ａ及び凹部１６の開口１６ａは、突出部１４の上面に形成されている。これら凹部１５，１６は、上下方向に延在し、突出部１４、ベース部１２及び嵌合部１３に跨っている。各凹部１５には、開口１５ａからソケットコンタクト２１が挿入されている。また、各凹部１６には、開口１６ａからソケットコンタクト２５が挿入されている。
【００２５】
嵌合部１３の先端部には、図３（ａ）に示すように、陥没部１３ｄが形成されている。陥没部１３ｄは、嵌合部１３の左右方向中央に形成されており、左右方向に長尺に形成されている。嵌合部１３の先端部には、図３に示すように、左右方向に関して陥没部１３ｄを挟む位置に配置された２つのスリット１７と、これらスリット１７間に配置された３つのスリット１８とが形成されている。２つのスリット１７は、前後及び上下方向に延在し、凹部１５にそれぞれつながっている。このため、凹部１５に挿入されたソケットコンタクト２１の一部（接触部２１ｂ）がスリット１７を介して外部に露出する。３つのスリット１８も、前後及び上下方向に延在し、凹部１６にそれぞれつながっている。このため、凹部１６に挿入されたソケットコンタクト２５の一部（接触部２５ｃ）がスリット１８を介して外部に露出する。また、３つのスリット１８は、陥没部１３ｄの底部に配置されている。このため、スリット１８を介して外部に露出されるソケットコンタクト２５の接触部２５ｃは、ソケットコンタクト２１の接触部２１ｂよりも上方に位置する。
【００２６】
嵌合部１３の外周壁面には、環状の溝１３ａが形成されている。溝１３ａには、環状の弾性シール部材１３ｂ（第３弾性シール部材）が配置されている。本実施形態における弾性シール部材１３ｂは、ゴムから構成されているが、嵌合部１３と凹部３６の内周壁面３６ｂ（図７参照）との間を封止することが可能であれば、ゴム以外の弾性材料から構成されていてもよい。図２及び図３（ｂ）に示すように、嵌合部１３の外周壁面のうちの前方壁面には、前方に突出し且つ上下に延在する一対のガイド部１３ｃが形成されている。一対のガイド部１３ｃは、図３（ｂ）に示すように、嵌合部１３の先端からベース部１２に近づくに連れて、前方への突出量が大きくなるように、傾斜している。なお、ガイド部１３ｃは、上述の溝１３ａによって分断され、その分断部分には弾性シール部材１３ｂが配置されている。
【００２７】
ベース部１２には、図２及び図３（ａ）に示すように、取付部１９が設けられている。取付部１９は、ベース部１２の左壁面から左方向に突出した突出部１９ａと、ベース部１２の右壁面から右方に突出した突出部１９ｂとを有する。各突出部１９ａ，１９ｂには、上下方向に貫通する孔（不図示）が形成されている。各突出部１９ａ，１９ｂの孔には、公知のフローティングブッシュ１９ｃが設けられている。このフローティングブッシュ１９ｃは、突出部１９ａ，１９ｂの孔内に配置された円筒部と、当該円筒部の両端に形成され、突出部１９ａ，１９ｂを上下方向に挟む位置に配置された一対のフランジ部とを有する。フランジ部は、当該孔の内径よりも大きい外径を有する。円筒部の外径は、円筒部の外周壁面と当該孔の内周壁面との間に隙間が生じる程度の大きさである。ソケットコネクタ１０は、フローティングブッシュ１９ｃに下方から通されたネジ（不図示）と、このネジを取り付けるためのナット（不図示）とにより、バッテリユニット２００に取り付けられる。このような取付部１９の構成により、ソケットコネクタ１０とベースコネクタ３０との嵌合時において、ソケットコネクタ１０がバッテリユニット２００に対して前後及び左右に移動可能となる。
【００２８】
ソケットコンタクト２１は、図４（ａ）に示すように、導電性の金属板を打ち抜き曲げ加工して製造されており、接続部２１ａと、接触部２１ｂとを有する。接続部２１ａは、曲げ加工によって前後方向に立設された接続片２１ａ１を有する。接続片２１ａ１は、上下方向に貫通する孔２１ａ２が形成されている。この接続片２１ａ１は、図３（ｂ）に示すように、凹部１５内にソケットコンタクト２１が挿入されることで凹部１５内に配置されたナット２２の抜け止めにもなる。そして、ナット２２との間にバッテリユニット２００の電流供給用端子（不図示）と接続片２１ａ１とを挟んだ状態で、取付ネジ（不図示）をナット２２にねじ込むことで、ソケットコンタクト２１と当該電流供給用端子とが電気的に接続される。これにより、ソケットコンタクト２１を介してバッテリユニット２００の電力を供給することが可能となる。接触部２１ｂは、左右方向に対向する一対の接触片２１ｂ１を有する。この一対の接触片２１ｂ１は、図３（ａ）に示すように、スリット１７から外部に露出されており、ソケットコネクタ１０とベースコネクタ３０との嵌合時に、後述のベースコンタクト４１の接触片４１ｃ１と接触する。一対の接触片２１ｂ１は、左右方向に関して、先端（下端）ではベースコンタクト４１の接触片４１ｃ１の厚みよりも大きな間隔で、先端よりも上方部分ではベースコンタクト４１の接触片４１ｃ１の厚みよりも小さい間隔で互いに離隔されている。また、一対の接触片２１ｂ１は、先端が自由端となる片持ち状に構成されている。このため、接触片２１ｂ１間に接触片４１ｃ１が挿入されたときに、当該接触片４１ｃ１を弾性的に挟持する。これにより、接触片２１ｂ１，４１ｃ１同士の電気的接続が達成される。
【００２９】
ソケットコンタクト２５は、図４（ｂ）に示すように、導電性の金属板を打ち抜き曲げ加工して製造され、それぞれ信号線２６が接続されている。なお、信号線２６は、バッテリユニット２００のコントローラ（不図示）に接続されている。具体的には、ソケットコンタクト２５は、２対のグリップ２５ａ，２５ｂを有しており、信号線２６の被覆領域及び心線領域のそれぞれにおいてグリップ２５ａ，２５ｂがかしめ加工で信号線２６に圧着固定されている。そして、２対のグリップ２５ａ，２５ｂよりも下方に、曲げ加工によって接触部２５ｃが形成されている。接触部２５ｃは、左右方向に対向する一対の接触片２５ｃ１を有する。この一対の接触片２５ｃ１は、図３（ａ）に示すように、スリット１８から外部に露出されており、ソケットコネクタ１０とベースコネクタ３０との嵌合時に、後述のベースコンタクト４５の接触片４５ｂ１と接触する。一対の接触片２５ｃ１は、左右方向に関して、先端ではベースコンタクト４５の接触片４５ｂ１の厚みよりも大きな間隔で、先端よりも上方部分ではベースコンタクト４５の接触片４５ｂ１の厚みよりも小さい間隔で互いに離隔されている。また、一対の接触片２５ｃ１は、先端が自由端となる片持ち状に構成されている。このため、接触片２５ｃ１間に接触片４５ｂ１が挿入されたときに、当該接触片４５ｂ１を弾性的に挟持する。これにより、接触片２５ｃ１，４５ｂ１同士の電気的接続が達成される。
【００３０】
次に、ベースコネクタ３０について、図２、図５〜図１０を参照して説明する。ベースコネクタ３０は、第１ベースハウジング３１と、第２ベースハウジング３２と、第１取付部３３と、第２取付部３４と、組み付け部３５と、一対のベースコンタクト４１と、３つのベースコンタクト４５とを有する。なお、ベースコネクタ３０は、電流供給用ケーブル４４をベースコネクタ３０から後方に引き出すことが可能なように、第１ベースハウジング３１と第２ベースハウジング３２とに分けて構成されている。第１ベースハウジング３１は、絶縁性の樹脂からなり、図５及び図６に示すように、略直方体形状を有する。また、第１ベースハウジング３１は、上方に向かって開口する凹部３６を有する。
【００３１】
凹部３６は、その開口３６ａが第１ベースハウジング３１の上壁３１ａに形成されている。凹部３６は、左右方向に延在しており、ソケットハウジング１１の嵌合部１３と嵌合可能な大きさを有している。図７に示すように、凹部３６の内周壁面３６ｂのうちの前方壁面３６ｂ１は、上方になるに連れて前方へ僅かに傾斜している。ソケットコネクタ１０とベースコネクタ３０は、上述したようにバッテリユニット２００の装着部３００に対する回動動作により、嵌合する。このときのソケットハウジング１１の嵌合部１３と第１ベースハウジング３１の凹部３６との嵌合時に、前方壁面３６ｂ１が前方に傾斜していることで、嵌合部１３が凹部３６内に入り込みやすくなる。そして、嵌合部１３には前方壁面３６ｂ１に対応して傾斜する一対のガイド部１３ｃが形成されており、これら前方壁面３６ｂ１と一対のガイド部１３ｃとが接触することで、前後方向に関して、ソケットハウジング１１と第１ベースハウジング３１の位置が所定位置に位置付けられる。
【００３２】
図６に示すように、第１ベースハウジング３１の後壁３１ｂ（第２ベースハウジング３２と前後方向に対向する端面）には、孔部３１ｂ１が形成されている。孔部３１ｂ１は、前後方向に延在し、凹部３６と連通する。また、後壁３１ｂには、前後方向に延在する４つの穴部３１ｂ２が形成されている。これら穴部３１ｂ２は、孔部３１ｂ１を左右方向に挟んで２つずつ配置されている。また、左側及び右側にそれぞれ配置された２つの穴部３１ｂ２は、上下方向に並んで配置されている。
【００３３】
第１ベースハウジング３１の左壁３１ｃ及び右壁３１ｄには、図５に示すように、２つの溝３１ｃ１，３１ｄ１がそれぞれ形成されている。２つの溝３１ｃ１及び２つの溝３１ｄ１のそれぞれは、上下方向に並んで配置されている。これら４つの溝３１ｃ１，３１ｄ１は、前後方向に延在し、後方部が穴部３１ｂ２にそれぞれ連通している。つまり、各穴部３１ｂ２は、前方部が溝３１ｃ１，３１ｄ１を介して外部に連通している。
【００３４】
第１ベースハウジング３１の下壁３１ｆには、図５に示すように、陥没部３１ｆ１が形成されている。陥没部３１ｆ１は、下壁３１ｆのほぼ全体に形成されている。陥没部３１ｆ１の底部には、下方に突出し且つ前後方向に延在する３つのガイド部３１ｆ２が形成されている。これら３つのガイド部３１ｆ２は、左右方向に関して、互いに離隔してほぼ等間隔に配置されている。
【００３５】
第１取付部３３は、第１ベースハウジング３１の左壁３１ｃの下端から左方向に突出した突出部３３ａと、第１ベースハウジング３１の右壁３１ｄの下端から右方に突出した突出部３３ｂとを有する。各突出部３３ａ，３３ｂは、上下方向に貫通する孔（不図示）が形成されている。各突出部３３ａ，３３ｂの孔には、上述のフローティングブッシュ１９ｃと同様の構成を有する公知のフローティングブッシュ３３ｃが設けられている。つまり、フローティングブッシュ３３ｃも、突出部３３ａ，３３ｂの孔内に配置された円筒部と、当該円筒部の両端に形成され、突出部３３ａ，３３ｂを上下方向に挟む位置に配置された一対のフランジ部とを有する。フランジ部は、当該孔の内径よりも大きい外径を有する。円筒部の外径は、円筒部の外周壁面と当該孔の内周壁面との間に隙間が生じる程度の大きさである。第１ベースハウジング３１は、フローティングブッシュ３３ｃに上方から通されたネジ（不図示）と、このネジを取り付けるためのナット（不図示）とにより、装着部３００の支持板３０１に取り付けられる。このような第１取付部３３の構成により、第１ベースハウジング３１が支持板３０１の上面３０１ａに対して前後及び左右に移動可能となる。なお、第１ベースハウジング３１を上面３０１ａに対して、少なくとも前後及び左右に移動させることが可能であれば、フローティングブッシュ３３ｃ以外の構成部材を採用してもよい。
【００３６】
第２ベースハウジング３２は、絶縁性の樹脂からなり、図５及び図６に示すように、ベース部３２ａと、前方突出部３２ｂと、後方突出部３２ｃと、後方に向かって開口する２つの凹部３２ｄと、２つの凹部３２ｄ間に配置され後方に向かって開口する１つの凹部３２ｅとを有する。ベース部３２ａは、左右方向に長尺な矩形平面形状を有する板状部材である。図６〜図８に示すように、ベース部３２ａの後壁面３２ａ２には、後方突出部３２ｃを取り囲む環状の溝３２ａ３が形成されている。溝３２ａ３内には、環状の弾性シール部材３２ａ４（第２弾性シール部材）が配置されている。弾性シール部材３２ａ４が、溝３２ａ３に配置されていることで、弾性シール部材３２ａ４が上下及び左右方向にずれにくくなる。また、弾性シール部材３２ａ４は、第２ベースハウジング３２を取付板３０３に取り付けた状態において、後壁面３２ａ２と取付板３０３の前面３０３ａとの間の隙間を埋めることが可能な厚みを有する。本実施形態における弾性シール部材３２ａ４は、ゴムから構成されているが、後壁面３２ａ２と前面３０３ａとの間を封止することが可能であれば、ゴム以外の弾性材料から構成されていてもよい。また、弾性シール部材３２ａ４は、後方から見て、凹部３２ｄ，３２ｅを内包している。
【００３７】
前方突出部３２ｂは、図５に示すように、ベース部３２ａの前壁面３２ａ１から前方に突出する基部３２ｂ１と、ベースコンタクト４１，４５を支持する支持部３２ｂ２と、案内板３２ｂ３と、４本のガイド板３２ｂ４とを有する。基部３２ｂ１は、左右方向に長尺な略直方体形状を有する。支持部３２ｂ２は、基部３２ｂ１の前壁面３２ｂ５の中央から前方に突出している。また、支持部３２ｂ２は、左右方向に長尺に形成されており、孔部３１ｂ１に挿通可能な形状を有する。支持部３２ｂ２の外周壁面には、環状の溝３２ｂ６（図７参照）が形成されている。溝３２ｂ６には、環状の弾性シール部材３６ｂ７（第１弾性シール部材）が配置されている。弾性シール部材３６ｂ７が、溝３２ｂ６に配置されていることで、弾性シール部材３６ｂ７が前後方向にずれにくくなる。また、弾性シール部材３６ｂ７は、支持部３２ｂ２を孔部３１ｂ１に挿通させた状態において、支持部３２ｂ２の外周壁面と孔部３１ｂ１の内周壁面との間の隙間を埋めることが可能な厚みを有する。本実施形態における弾性シール部材３６ｂ７は、ゴムから構成されているが、支持部３２ｂ２の外周壁面と孔部３１ｂ１の内周側壁との間を封止することが可能であれば、ゴム以外の弾性材料から構成されていてもよい。また、支持部３２ｂ２の前壁面３２ｂ１１には、図５に示すように、２つの孔３２ｂ１２と、３つの孔３２ｂ１３とが形成されている。２つの孔３２ｂ１２は、凹部３２ｄと前後方向に対向する位置に配置され、当該凹部３２ｄとそれぞれ連通する。３つの孔３２ｂ１３は、凹部３２ｅと前後方向に対向する位置に配置され、当該凹部３２ｅとそれぞれ連通する。
【００３８】
案内板３２ｂ３は、矩形平面形状を有し、基部３２ｂ１の前壁３２ｂ５の下端から前方に突出している。案内板３２ｂ３は、図５に示すように、厚み方向（上下方向）に貫通する孔部３２ｂ８が形成されている。孔部３２ｂ８は、案内板３２ｂ３の前後方向の中央から後端にかけて形成されている。案内板３２ｂ３の前方部分には、３つの溝３２ｂ９が形成されている。これら３つの溝３２ｂ９は、第１ベースハウジング３１と第２ベースハウジング３２とが組み付けられたときに、ガイド部３１ｆ２が溝３２ｂ９に配置されるように構成されている。また、溝３２ｂ９は、前後方向に延在しており、左右方向の幅がガイド部３１ｆ２よりも若干大きく形成されている。このような案内板３２ｂ３とガイド部３１ｆ２との構成により、第１ベースハウジング３１と第２ベースハウジング３２とを組み付けた状態において、第１ベースハウジング３１を第２ベースハウジング３２に対して前後方向に移動させやすくなる。
【００３９】
ガイド板３２ｂ４は、図５に示すように、基部３２ｂ１の前壁面３２ｂ５の左右両端部のそれぞれから２本ずつ前方に突出している。左側及び右側にそれぞれ配置された２つのガイド板３２ｂ４は、上下方向に並んで配置されている。４つのガイド板３２ｂ４は、第１ベースハウジング３１と第２ベースハウジング３２とが組み付けられる際に、対応する穴部３１ｂ２に挿通される。これにより、第１ベースハウジング３１が第２ベースハウジング３２に対して前後方向に移動可能に構成される。また、各ガイド板３２ｂ４の先端には、外側に張り出した抜け止め用のフック３２ｂ４ａが形成されており、ガイド板３２ｂ４が穴部３１ｂ２から抜けにくくされている。このようにガイド板３２ｂ４と穴部３１ｂ２とによって、第１ベースハウジング３１と第２ベースハウジング３２とを組み付けるための組み付け部３５が構成されている。この組み付け部３５及び第１取付部３３により、第１ベースハウジング３１が、図９（ａ）に示す第１位置から図９（ｂ）に示す第２位置との間において、第２ベースハウジング３２に対して前後方向に移動可能となる。第１位置は、第１ベースハウジング３１の後壁３１ｂと第２ベースハウジング３２の基部３２ｂ１とが接触する位置であり、第２位置は、第１ベースハウジング３１の後壁３１ｂと第２ベースハウジング３２の基部３２ｂ１とが離隔しつつフック３２ｂ４ａが溝３１ｃ１，３１ｄ１の後壁面に接触する位置である。
【００４０】
また、図８に示すように、左右方向に関して、ガイド板３２ｂ４と穴部３１ｂ２との間のそれぞれには、隙間３５ａが形成されている。このように隙間３５ａが形成されていることで、第１ベースハウジング３１がこの隙間３５ａ分だけ、第２ベースハウジング３２に対して左右方向に移動することが可能となる。さらに、第１ベースハウジング３１が、前後及び左右方向に移動可能となるため、第２ベースハウジングに対して左右方向に傾きやすくなる。このため、ソケットコネクタ１０の嵌合部１３をベースコネクタ３０の凹部３６により嵌合しやすくなる。
【００４１】
後方突出部３２ｃは、図６に示すように、ベース部３２ａの後壁面３２ａ２から後方に突出して形成されている。後方突出部３２ｃは、左右方向に長尺な略直方体形状を有している。また、後方突出部３２ｃは、図１に示すように、取付板３０３の長孔３０５よりも若干小さいサイズを有しており、当該長孔３０５に挿入可能に構成されている。凹部３２ｄの開口３２ｄ１及び凹部３２ｅの開口３２ｅ１は、図６に示すように、後方突出部３２ｃの後壁面３２ｃ１に形成されている。これら凹部３２ｄ，３２ｅは、前後方向に延在し、後方突出部３２ｃ、ベース部３２ａ、前方突出部３２ｂに跨っている。各凹部３２ｄには、図６及び図７に示すように、開口３２ｄ１からベースコンタクト４１が挿入され、ベースコンタクト４１の接触部４１ｃの一部（接触片４１ｃ１）が孔３２ｂ１２から第２ベースハウジング３２の外部に露出される。なお、孔３２ｂ１２は、ソケットコネクタ１０をベースコネクタ３０に嵌合させる際に、孔３２ｂ１２から露出する接触片４１ｃ１がソケットコンタクト２１の接触片２１ｂ１間と上下方向に対向するように、形成されている。凹部３２ｅには、開口３２ｅ１から３つのベースコンタクト４５が挿入され、ベースコンタクト４５の接触部４５ｂの一部（接触片４５ｂ１）が孔３２ｂ１３から第２ベースハウジング３２の外部に露出される。なお、孔３２ｂ１３は、ソケットコネクタ１０をベースコネクタ３０に嵌合させる際に、孔３２ｂ１３から露出する接触片４５ｂ１がソケットコンタクト２５の接触片２５ｃ１間と上下方向に対向するように、形成されている。また、ベースコンタクト４５は、図６に示す信号線４９に接続されたコネクタ５０と電気的に接続される。また、第２ベースハウジング３２に挿入されて固定されたベースコンタクト４１のグリップ４１ａ，４１ｂ及びベースコンタクト４５の接続部４５ａは、弾性シール部材３２ａ４によって内包されている。
【００４２】
第２取付部３４は、ベース部３２ａの左壁面から左方向に突出した突出部３４ａと、第ベース部３２ａの右壁面から右方に突出した突出部３４ｂとを有する。これら突出部３４ａ，３４ｂは、ベース部３２ａの左壁面及び右壁面全体から突出しており、ベース部３２ａと一体的に形成されている。各突出部３４ａ，３４ｂは、前後方向に貫通する孔（不図示）が形成されている。各突出部３４ａ，３４ｂの孔には、上述のフローティングブッシュ３３ｃと同様の構成を有する公知のフローティングブッシュ３４ｃが設けられている。つまり、フローティングブッシュ３４ｃは、突出部３４ａ，３４ｂの孔内に配置された円筒部と、当該円筒部の両端に形成され、突出部３４ａ，３４ｂを前後方向に挟む位置に配置された一対のフランジ部とを有する。フランジ部は、当該孔の内径よりも大きい外径を有する。円筒部の外径は、円筒部の外周壁面と当該孔の内周壁面との間に隙間が生じる程度の大きさである。第２ベースハウジング３２は、フローティングブッシュ３４ｃに前方から通されたネジ（不図示）と、このネジを取り付けるためのナット（不図示）とにより、取付板３０３に取り付けられる。このとき、後方突出部３２ｃが長孔３０５に通され、ネジが取付板３０３の孔３０６に通された状態で、第２ベースハウジング３２が取付板３０３に取り付けられる。このような第２取付部３４の構成により、第２ベースハウジング３２が取付板３０３の前面３０３ａに対して上下及び左右に移動可能となる構成を簡単に実現できる。なお、第２ベースハウジング３２を前面３０３ａに対して、少なくとも上下及び左右に移動させることが可能であれば、フローティングブッシュ３４ｃ以外の構成部材を採用してもよい。
【００４３】
ベースコンタクト４１は、図１０（ａ）に示すように、導電性の金属板を打ち抜き曲げ加工して製造され、それぞれケーブル４４が接続されている。具体的には、ベースコンタクト４１は、２対のグリップ４１ａ，４１ｂ（接続部）を有しており、ケーブル４４の被覆領域及び心線領域のそれぞれにおいてグリップ４１ａ，４１ｂがかしめ加工でケーブル４４に圧着固定されている。ケーブル４４は、ベースコンタクト４１から後方に引き出されている。つまり、電流供給用ケーブル４４は、ソケットハウジング１１の嵌合部１３と第１ベースハウジング３１の凹部３６との嵌合方向（上下方向）に対して直交する方向に引き出されている。そして、２対のグリップ４１ａ，４１ｂよりも前方に、曲げ加工によって接触部４１ｃが形成されている。接触部４１ｃは、前後方向に延在する接触片４１ｃ１を有する。接触片４１ｃ１は、板状に折り畳まれて構成されており、図５に示すように、上下方向に立設された状態で孔３２ｂ１２から外部に露出される。これにより、嵌合部１３と凹部３６との嵌合時に、凹部３６内に突出したベースコンタクト４１の接触片４１ｃ１がソケットコンタクト２１の接触片２１ｂ１によって挟持され、両接触片２１ｂ１，４１ｃ１同士が電気的に接続される。
【００４４】
ベースコンタクト４５は、図１０（ｂ）に示すように、導電性の金属板を打ち抜き曲げ加工して製造されており、接続部４５ａと、接触部４５ｂとを有する。接続部４５ａは、前後方向に延在し、且つ左右方向に立設するように形成されている。接続部４５ａは、上述のコネクタ５０が凹部３２ｅに装着されたときに、当該コネクタ５０のコンタクト（不図示）のそれぞれと電気的に接続される。このときのコネクタ５０の信号線４９もコネクタ５０から後方に引き出される。接触部４５ｂは、接続部４５ａと接続され、前後方向に延在する板状の接触片４５ｂ１を有する。接触片４５ｂ１は、図５に示すように、上下方向に立設された状態で孔３２ｂ１３から外部に露出される。これにより、嵌合部１３と凹部３６との嵌合時に、凹部３６内に突出したベースコンタクト４５の接触片４５ｂ１がソケットコンタクト２５の接触片２５ｃ１によって挟持され、両接触片２５ｃ１，４５ｂ１同士が電気的に接続される。なお、ベースコンタクト４１，４５の接触片４１ｃ１，４５ｂ１の上端は、上下方向に関してほぼ同じ位置にある。このため、ソケットコネクタ１０とベースコネクタ３０とを嵌合させたときに、ソケットコンタクト２１とベースコンタクト４１とが、ソケットコンタクト２５とベースコンタクト４５とよりも先に電気的に接続される。
【００４５】
ソケットコネクタ１０（嵌合部１３）とベースコネクタ３０（凹部３６）とを嵌合させる際の、第１ベースハウジング３１及び第２ベースハウジング３２の動作について、説明する。第１ベースハウジング３１が、第１取付部３３によって支持板３０１に前後方向に移動可能に取り付けられるとともに、第１ベースハウジング３１が第２ベースハウジング３２に対して前後方向に移動可能に構成されている。このため、両コネクタ１０，３０の嵌合時に、ソケットコネクタ１０の嵌合部１３がベースコネクタ３０の凹部３６に対して前後方向に若干ずれていても、嵌合部１３と凹部３６とが嵌合するように、第１ベースハウジング３１が嵌合部１３に追従して前後方向に移動する。
【００４６】
また、ガイド板３２ｂ４と穴部３１ｂ２との間のそれぞれには、隙間３５ａが形成されている。このため、ソケットコネクタ１０の嵌合部１３が凹部３６に対して左右方向に若干ずれたり、嵌合部１３の中心を通る上下方向に延在する軸周りに当該嵌合部１３が若干回動していても、嵌合部１３と凹部３６とが嵌合するように、第１ベースハウジング３１が嵌合部１３に追従して第２ベースハウジング３２に対して移動する。
【００４７】
さらに、第１ベースハウジング３１が、第１取付部３３によって支持板３０１に左右方向に移動可能に取り付けられるとともに、第２ベースハウジング３２が、第２取付部３４によって取付板３０３に左右方向に移動可能に取り付けられている。このため、ソケットコネクタ１０の嵌合部１３が凹部３６に対して左右方向に若干ずれていても、嵌合部１３と凹部３６とが嵌合するように、第１ベースハウジング３１とともに第２ベースハウジング３２が嵌合部１３に追従して左右方向に移動する。また、第１ベースハウジング３１が第２ベースハウジング３２に対して左右方向に移動可能となることで、ソケットコンタクト２１，２５とベースコンタクト４１，４５とが左右方向に若干ずれても、両コンタクト同士が接触するように、第２ベースハウジング３２とともにベースコンタクト４１，４５もソケットコンタクト２１，２５に追従して左右方向に移動する。この結果、ベースコンタクト４１，４５とソケットコンタクト２１，２５とをスムーズに電気的に接続することが可能となる。
【００４８】
以上のように、上述のコネクタ１００によると、ベースコネクタ３０が、ソケットハウジング１１（嵌合部１３）と嵌合可能な第１ベースハウジング３１と、当該嵌合方向（上下方向）と直交する前後方向に沿って電流供給用ケーブル４４を引き出すことが可能に構成された第２ベースハウジング３２とに分けて構成されている。このため、ベースコネクタ３０が嵌合方向に長く形成されないため、嵌合方向に小型化することが可能になる。さらにケーブル４４がベースコネクタ３０から前後方向に引き出されるため、ベースコネクタ３０を取り付ける給電装置の嵌合方向における小型化に寄与することが可能となる。加えて、第１取付部３３、第２取付部３４、及び、組み付け部３５によって、第１ベースハウジング３１が前後及び左右方向に移動可能に構成されるため、ベースコネクタ３０とソケットコネクタ１０とを嵌合させる際に、ソケットハウジング１１（嵌合部１３）が第１ベースハウジング３１の凹部３６に嵌合しやすくなる。このように、ベースコネクタ３０とソケットコネクタ１０との良好な嵌合を実現しつつコネクタ１００を嵌合方向に小型化するとともに、このコネクタ１００を取り付ける装置の嵌合方向における小型化に寄与することが可能となる。
【００４９】
また、組み付け部３５が、ガイド板３２ｂ４及び穴部３１ｂ２によって構成され、ガイド板３２ｂ４と穴部３１ｂ２との間に隙間３５ａが存在する。これにより、第１ベースハウジング３１が第２ベースハウジング３２に対して前後及び左右方向に移動可能となる構成を簡単に実現できる。変形例として、ガイド板３２ｂ４が第１ベースハウジング３１に形成され、孔部３１ｂ２が第２ベースハウジング３２に形成されてもよい。つまり、入れ替わったこれらガイド板３２ｂ４及び孔部３１ｂ２によって組み付け部３５が構成されていてもよい。
【００５０】
また、支持部３２ｂ２の外周壁面に弾性シール部材３６ｂ７が設けられている。この弾性シール部材３６ｂ７は、ベースコンタクト４１のグリップ４１ａ，４１ｂ及びベースコンタクト４５の接続部４５ａを内包する。これにより、液体などの異物が後壁面３２ａ２と取付板３０３の前面３０３ａとの間から浸入してベースコンタクト４１のグリップ４１ａ，４１ｂ及びベースコンタクト４５の接続部４５ａに付着するのを抑制することが可能となる。
【００５１】
また、ソケットコンタクト２１は、ソケットコネクタ１０とベースコネクタ３０との嵌合時にベースコンタクト４１の接触片４１ｃ１を左右方向から挟持可能な一対の接触片２１ｂ１を有する。これにより、ベースコンタクト４１の接触片４１ｃ１（接触部４１ｃ）とソケットコンタクト２１の接触片２１ｂ１（接触部２１ｂ）とが、ソケットコネクタ１０とベースコネクタ３０との嵌合時に、前後方向にずれても、緩衝せずに良好に接触する。
【００５２】
また、ソケットハウジング１１の嵌合部１３の外周壁面には、弾性シール部材１３ｂが設けられている。これにより、嵌合部１３（ソケットハウジング１１）と凹部３６（第１ベースハウジング３１）との嵌合状態において、液体などの異物が嵌合部１３と凹部３６の内周壁面との間から浸入して接触部２１ｂ，２５ｃ，４１ｃ，４５ｂに付着するのを抑制することが可能となる。
【００５３】
以上、本発明の好適な実施の形態について説明したが、本発明は上述の実施形態に限られるものではなく、特許請求の範囲に記載した限りにおいて様々な変更が可能なものである。例えば、上述の実施形態においては、第２取付部３４によって第２ベースハウジング３２が取付部３０３の前面３０３ａに対して左右方向に移動可能に取り付けられているが、当該前面３０３ａに第２ベースハウジング３２が移動不可能に固定されていてもよい。また、組み付け部３５を構成するガイド板３２ｂ４と穴部３１ｂ２との間には隙間３５ａが設けられず、第１ベースハウジング３１が第２ベースハウジング３２に対して前後方向にのみ移動可能に構成されていてもよい。このように第２取付部３４及び組み付け部３５のいずれかによって、それぞれ第２ベースハウジング３２を前面３０３ａ及び第１ベースハウジング３１に対して、左右方向に移動可能に構成されておればよい。
【００５４】
また、上述の弾性シール部材１３ｂ，３２ａ４，３６ｂ７は設けられていなくてもよい。また、ソケットコンタクト２１は、ソケットコネクタ１０とベースコネクタ３０との嵌合時に、ベースコンタクト４１の接触部４１ｃと接触可能であれば、接触部４１ｃを左右方向から挟んで接触していなくてもよい。
【符号の説明】
【００５５】
１０  ソケットコネクタ
１１  ソケットハウジング
１３ｂ  弾性シール部材（第３弾性シール部材）
２１  ソケットコンタクト
２１ｂ  接触部
３０  ベースコネクタ
３１  第１ベースハウジング
３１ｂ１  孔部
３１ｂ２  穴部
３２  第２ベースハウジング
３２ａ４  弾性シール部材（第２弾性シール部材）
３２ｂ２  支持部
３２ｂ４  ガイド板
３３  第１取付部
３４  第２取付部
３５  組み付け部
３５ａ  隙間
３６  凹部
３６ｂ７  弾性シール部材（第１弾性シール部材）
４１  ベースコンタクト
４１ａ，４１ｂ  グリップ（接続部）
４１ｃ  接触部
４４  ケーブル
１００  コネクタ
３０１ａ  上面（第１取付面）
３０３ａ  前面（第２取付面）
【図１】
2015220213.tif 000003
【図２】
2015220213.tif 000004
【図３】
2015220213.tif 000005
【図４】
2015220213.tif 000006
【図５】
2015220213.tif 000007
【図６】
2015220213.tif 000008
【図７】
2015220213.tif 000009
【図８】
2015220213.tif 000010
【図９】
2015220213.tif 000011
【図１０】
2015220213.tif 000012